(57)【要約】【課題】複数のコンクリート打設用型枠を並列して使用する場合に、下端筋を容易に配設できるようにし、また、その敷き込んだコンクリート打設用型枠の下端筋同士を、施工現場において容易に連結できるようにする。【解決手段】基板１上に、長手状に伸びる補強筋２を複数並列して配置し、その並列方向に伸びる横筋３ａと前記長手方向に伸びる縦筋３ｂとを備えた下端筋３を配置したコンクリート打設用型枠１０を前記並列方向に沿って複数枚並列して配置し、その後、並列する前記コンクリート打設用型枠１０，１０の下端筋３，３同士を結ぶ連結筋５を配置し、基板１上にコンクリートを打設することにより、基板１と一体のコンクリート部材を形成する。下端筋３は、基板１上に補強筋２を配置した後、前記並列方向に差し入れる構成としてもよいし、基板１上に格子状の下端筋３を配置した後、補強筋２を配置する構成としてもよい。【選択図】図１
2014091994.tif 000002
【特許請求の範囲】
【請求項１】
基板（１）上に、長手状に伸びる補強筋（２）を複数並列して配置し、前記補強筋（２）の前記基板（１）寄りの部分に、前記並列方向に伸びる横筋（３ａ）と前記長手方向に伸びる縦筋（３ｂ）とを備えた下端筋（３）を配置したコンクリート打設用型枠（１０）を、前記並列方向に沿って複数枚並列して配置し、その後、並列する前記コンクリート打設用型枠（１０，１０）の前記下端筋（３，３）同士を結び且つ互いに交差する横連結筋（５ａ）と縦連結筋（５ｂ）とを備えた連結筋（５）を配置し、前記基板（１）上に、前記補強筋（２）、前記下端筋（３）及び前記連結筋（５）を覆うコンクリートを打設することにより、前記基板（１）と一体のコンクリート部材を形成するコンクリート部材の構築方法。
【請求項２】
前記下端筋（３）は、格子状に接合された軸部材を基板（１）に固定することで構成されており、前記補強筋（２）は、格子状の前記下端筋（３）を基板（１）上に配置した後、その基板（１）又は前記下端筋（３）に固定されることを特徴とする請求項１に記載のコンクリート部材の構築方法。
【請求項３】
基板（１）上に、長手状に伸びる補強筋（２）を複数並列して配置したコンクリート打設用型枠（１０）を、前記並列方向に沿って複数枚並列して配置し、前記補強筋（２）の前記基板（１）寄りの部分に、前記並列方向に伸びる少なくとも１本の横筋（３ａ）とその横筋（３ａ）に固定され前記長手方向に伸びる縦筋（３ｂ）とを備えた下端筋（３）を挿入し、その挿入後、並列する前記コンクリート打設用型枠（１０，１０）の前記下端筋（３，３）同士を結び且つ互いに交差する横連結筋（５ａ）と縦連結筋（５ｂ）とを備えた連結筋（５）を配置し、前記基板（１）上に、前記補強筋（２）、前記下端筋（３）及び前記連結筋（５）を覆うコンクリートを打設することにより、前記基板（１）と一体のコンクリート部材を形成するコンクリート部材の構築方法。
【請求項４】
前記下端筋（３）は、格子状に接合された軸部材の一部を切断することにより、１本の横筋（３ａ）と、その横筋（３ａ）に固定された複数本の縦筋（３ｂ）とに形成されることを特徴とする請求項３に記載のコンクリート部材の構築方法。
【請求項５】
前記下端筋（３）は、軸方向一端にのみ前記縦筋（３ｂ）が固定された前記横筋（３ａ）をその軸方向他端から前記補強筋（２）の前記基板（１）寄りの部分に挿入し、軸方向他端にのみ前記縦筋（３ｂ）が固定された前記横筋（３ａ）をその軸方向一端から前記補強筋（２）の前記基板（１）寄りの部分に挿入することにより、前記コンクリート打設用型枠（１０）の前記並列方向両端に前記縦筋（３ｂ）を配置することを特徴とする請求項３又は４に記載のコンクリート部材の構築方法。
【請求項６】
前記連結筋（５）は、前記下端筋（３）に対して前記基板（１）と反対側に載置され、前記連結筋（５）の前記縦連結筋（５ｂ）は前記横連結筋（５ａ）に対して前記基板（１）側に固定され、前記下端筋（３）の前記縦筋（３ｂ）は前記横筋（３ａ）に対して前記基板（１）の反対側に固定されることを特徴とする請求項１乃至５のいずれか一つに記載のコンクリート部材の構築方法。
【請求項７】
前記縦筋（３ｂ）と前記縦連結筋（５ｂ）とが互いに噛み合っていることを特徴とする請求項６に記載のコンクリート部材の構築方法。
【請求項８】
前記下端筋（３）と前記連結筋（５）とを、コンクリートの打設前に、溶接又は結束材によって互いに固定することを特徴とする請求項１乃至７のいずれか一つに記載のコンクリート部材の構築方法。
【請求項９】
前記基板（１）は、高強度繊維コンクリートで構成されていることを特徴とする請求項１乃至８のいずれか一つに記載のコンクリート部材の構築方法。
【請求項１０】
請求項１乃至９のいずれか一つに記載のコンクリート部材の構築方法に使用するコンクリート打設用型枠。
【請求項１１】
請求項１乃至９のいずれか一つに記載のコンクリート部材の構築方法によって構築されたコンクリート部材。
【発明の詳細な説明】
【技術分野】
【０００１】
この発明は、建築物の床版や壁部等を構成するコンクリート部材の構築方法、そのコンクリート部材の構築方法に使用するコンクリート打設用型枠、及び、そのコンクリート部材の構築方法によって構築されるコンクリート部材に関するものである。
【背景技術】
【０００２】
建築物の床版や壁部等を構築するために、鋼製の基板上にラチス材と呼ばれるトラス形状の部材を備えた補強筋を、複数列平行に固定したコンクリート打設用型枠が用いられる場合がある。
【０００３】
このコンクリート打設用型枠は、例えば、図１８に示すように、ラチス材を備えた補強筋２が、その下端が基板１に溶接等によって固定され、その補強筋２の伸びる方向（以下、長手方向と称する。）に沿って、基板１寄りの部分に下端筋３が、基板１から遠い側の部分に上端筋４が配設されることで構成されている（例えば、特許文献１参照）。
【０００４】
下端筋３は、長手方向に配設される縦筋３ｂを備える。また、下端筋３は、補強筋２の並列する方向、すなわち、その長手方向に対して直交する方向（以下、並列方向と称する。）に配設される横筋３ａを型枠の端部に備える場合もある（例えば、特許文献２参照）。
【先行技術文献】
【特許文献】
【０００５】
【特許文献１】特開２０１２−８７５４８号公報
【特許文献２】特開２００８−５０７６６号公報（例えば、第８頁第４図参照）
【発明の概要】
【発明が解決しようとする課題】
【０００６】
この種のコンクリート打設用型枠は、工場生産されたものを現場に搬入するのが一般的である。図１７に示すように、コンクリート打設用型枠１０は、構築される床面や壁面の大きさに応じて、複数並列して配設される。この場合、補強筋２の向きが同一方向を向くようにコンクリート打設用型枠１０を施工箇所に敷き並べ、その基板１上に、補強筋２を覆うコンクリートを打設することにより、基板１と一体のコンクリート部材を形成している。
【０００７】
ここで、コンクリート打設用型枠１０を敷き込んだ後、コンクリートを打設する前に、上端筋４を配置している。上端筋４は、並列するコンクリート打設用型枠１０間に跨るように配置することができる。しかし、並列するコンクリート打設用型枠１０の下端筋３同士は、互いに連結されていない状態である。
【０００８】
この点について詳しく説明すると、複数のコンクリート打設用型枠１０を並列して使用する場合、通常は、図１８に示すように、下端筋３として縦筋３ｂのみを配設し、横筋を配設していないコンクリート打設用型枠１０が使用されている。横筋がないため、隣り合うコンクリート打設用型枠１０の下端筋３同士は、互いに連結されていない。
ここで、仮に、工場生産されたコンクリート打設用型枠１０のそれぞれに、下端筋３の横筋３ａを配設していたとする。しかし、この場合においても、複数枚のコンクリート打設用型枠１０を並べて使用すると、横筋３ａが断続的になってしまう。すなわち、このままでは、コンクリート打設用型枠１０の下端筋３同士は互いに連結されていない状態である。
【０００９】
そこで、現地において、コンクリート打設用型枠１０を敷き込んだ後、下端筋３同士を溶接等により連結する手法が可能ではないか、と考えられる。しかし、この溶接は、配筋１本ずつに対して手作業で行うこととなり、大変な労力と時間が必要である。すべての下端筋３を溶接で連結することは、工期の延長やコストアップに繋がるので、その採用は困難である。
さらに、コンクリート打設用型枠１０を敷き込んだ後、横筋を現場で配設することも困難である。補強筋（前記ラチス材）２は複雑な形状であり、その補強筋２等の配筋間の隙間に、格子状の下端筋３を差し入れて配設することはできない。
【００１０】
しかしながら、コンクリート打設用型枠１０に横筋があればコンクリート部材の強度が増すので、その横筋を簡単に配設できるようにしたいという要請がある。
【００１１】
そこで、この発明は、複数のコンクリート打設用型枠を並列して使用する場合に、下端筋を容易に配設できるようにし、また、その敷き込んだコンクリート打設用型枠の下端筋同士を、施工現場において容易に連結できるようにすることを課題とする。
【課題を解決するための手段】
【００１２】
上記の課題を解決するために、この発明は、基板上に、長手状に伸びる補強筋を複数並列して配置し、前記補強筋の前記基板寄りの部分に、前記並列方向に伸びる横筋と前記長手方向に伸びる縦筋とを備えた下端筋を配置したコンクリート打設用型枠を、前記並列方向に沿って複数枚並列して配置し、その後、並列する前記コンクリート打設用型枠の前記下端筋同士を結び且つ互いに交差する横連結筋と縦連結筋とを備えた連結筋を配置し、前記基板上に、前記補強筋、前記下端筋及び前記連結筋を覆うコンクリートを打設することにより、前記基板と一体のコンクリート部材を形成するコンクリート部材の構築方法を採用した。
【００１３】
隣り合うコンクリート打設用型枠の下端筋の間に、その下端筋とは別部材として用意した連結筋を配置することで、打設したコンクリートが硬化すれば、下端筋同士が連結された状態で、応力に対抗できるようになる。
このとき、連結筋は、横連結筋と縦連結筋とを備えているので、向かい合う下端筋同士を面的に強固に連結することができる。連結筋の範囲（基板に対する平面視における範囲）と、両下端筋の範囲（同左）とを、面的に重複させることができるからである。
【００１４】
なお、横連結筋と縦連結筋とは互いに交差して配設されていればよく、例えば、網状の部材、格子状の部材、梯子状の部材等を採用することも可能である。特に、連結筋の横連結筋と下端筋の横筋、連結筋の縦連結筋と下端筋の縦筋とを、それぞれ互いに平行とすることが望ましい。
【００１５】
また、連結筋の横連結筋と縦連結筋の本数は、それぞれ自由に設定できる。例えば、縦連結筋を下端筋の縦筋に平行とする場合、縦連結筋は少なくとも１本あればよく、望ましくは、２本又は３本以上の複数本としてよい。また、例えば、横連結筋を下端筋の横筋に平行とする場合、横連結筋を下端筋の横筋と同数として、向かい合う下端筋間に掛け渡すように接触させることが望ましい。このとき、下端筋の横筋が長手方向に沿って等間隔であれば、連結筋の横連結筋も長手方向に等間隔となる。
【００１６】
この構成において、前記下端筋は、格子状に接合された軸部材を基板に固定することで構成されており、前記補強筋は、格子状の前記下端筋を基板上に配置した後、その基板又は前記下端筋に固定される構成を採用することができる。格子状の下端筋を、補強筋よりも先に基板に固定することで、下端筋及び補強筋の基板上への固定が容易になる。
【００１７】
なお、横連結筋と縦連結筋とからなる連結筋は、コンクリート打設用型枠の向かい合う端縁に沿って、帯状に長く形成された部材とすることができ、これを、一対のコンクリート打設用型枠に対し、その向かい合う部分の全長（前記補強筋の長手方向に沿って全長）に亘って１つの部材で構成してもよいし、一対のコンクリート打設用型枠に対し、２つ又は３つ以上の複数の部材に分割して構成してもよい。
【００１８】
また、他の構成として、この発明は、基板上に、長手状に伸びる補強筋を複数並列して配置したコンクリート打設用型枠を、前記並列方向に沿って複数枚並列して配置し、前記補強筋の前記基板寄りの部分に、前記並列方向に伸びる１本の横筋とその横筋に固定され前記長手方向に伸びる縦筋とを備えた下端筋を挿入し、その挿入後、並列する前記コンクリート打設用型枠の前記下端筋同士を結び且つ互いに交差する横連結筋と縦連結筋とを備えた連結筋を配置し、前記基板上に、前記補強筋、前記下端筋及び前記連結筋を覆うコンクリートを打設することにより、前記基板と一体のコンクリート部材を形成するコンクリート部材の構築方法を採用することができる。
【００１９】
前述のように、多数の屈曲部を有する補強筋と下端筋の横筋とは、通常、複雑に交差しているので、補強筋を基板に固定した後、下端筋の横筋を配設するのは困難である。しかし、下端筋として、並列方向に伸びる１本の横筋とその横筋に固定された縦筋とを備えたものを採用したことにより、補強筋を避けるように下端筋を並列方向へ挿入でき、下端筋の現場施工も可能である。なお、その後、下端筋間に掛け渡すように配設される連結筋の構成は、前述の構成の場合と同様である。
【００２０】
また、下端筋としては、1本の横筋に対してそれに交差する短い縦筋を溶接する構成としてもよいが、例えば、格子状に接合された軸部材の一部を切断することにより、１本の横筋とその横筋に固定された複数本の縦筋とからなる部材を形成すれば、その製作が容易である。
【００２１】
また、下端筋を挿入する場合、以下の構成を採用することもできる。すなわち、前記下端筋は、軸方向一端にのみ前記縦筋が固定された前記横筋をその軸方向他端から前記補強筋の前記基板寄りの部分に挿入し、軸方向他端にのみ前記縦筋が固定された前記横筋をその軸方向一端から前記補強筋の前記基板寄りの部分に挿入することにより、前記コンクリート打設用型枠の前記並列方向両端に前記縦筋を配置する構成である。
この構成によれば、横筋の両端のうち、縦筋が固定されていない側を型枠内に挿入するので、その挿入の際に、縦筋が補強筋に当たる事態を回避することができる。また、一つのコンクリート打設用型枠に対して、並列方向双方向から上記構成からなる縦筋付きの横筋を挿入すれば、並列方向両端に、下端筋の縦筋を配置することが容易である。
【００２２】
これらの各構成において、前記連結筋は、前記下端筋の前記基板と反対側に載置され、前記連結筋の前記縦連結筋は前記横連結筋の前記基板側に固定され、前記下端筋の前記縦筋は前記横筋の前記基板の反対側に固定される構成を採用することができる。
この構成によれば、並列方向に伸びる下端筋の横筋と連結筋の横連結筋との間の空間に、長手方向に伸びる下端筋の縦筋と連結筋の縦連結筋とが対抗して凸状に配設されるので、コンクリートの打設、硬化後において、その下端筋と連結筋、及びコンクリートとの一体性が向上する効果が期待できる。このとき、縦筋と縦連結筋とが互いに噛み合っている構成とすれば、さらに高い一体性が期待できる。また、縦筋と縦連結筋とが接触して噛み合っていると、さらにその効果が高い。
【００２３】
また、連結筋は、下端筋上に載置するだけでよく、前述のように、打設したコンクリートが硬化すれば、下端筋同士が連結された状態で、応力に対抗できるようになる。
ただし、溶接や番線等の結束材によって互いに固定することも可能である。このとき、連結筋として、横連結筋と縦連結筋とを備えた部材を採用したことにより、必ずしも全ての横筋を溶接等する必要はなく、連結筋の何カ所かを下端筋に対して固定するだけでよいので、その作業は容易である。
【００２４】
これらの各構成において、前記基板として、例えば、鋼製の板材を採用し、いわゆるデッキプレート状のコンクリート打設用型枠とできる。また、基板の素材として、例えば、高強度繊維コンクリートを採用することができる。基板が高強度繊維コンクリートであれば、軽量且つ高強度な性能が期待できる。また、高強度繊維コンクリートであれば、基板を構成するコンクリート内への鉄筋の配筋を省略することも可能であり、基板の薄型化に寄与し得る。
【発明の効果】
【００２５】
この発明は、隣り合うコンクリート打設用型枠の下端筋同士を結ぶ連結筋を配置することで、打設したコンクリートが硬化すれば、下端筋同士が連結された状態で、応力に対抗できるようになる。このため、施工現場において容易に下端筋を連結できるようになる。
【図面の簡単な説明】
【００２６】
【図１】この発明の第一の実施形態を示す斜視図
【図２】（ａ）は図１の実施形態におけるラチス材の並列方向への要部断面図、（ｂ）は（ａ）の変形例を示す拡大図
【図３】連結筋の詳細を示し、（ａ）は平面図、（ｂ）は側面図
【図４】基板への下端筋、補強筋の配設方法を示す説明図
【図５】第二の実施形態を示す斜視図
【図６】（ａ）は図５の実施形態におけるラチス材の並列方向への要部断面図、（ｂ）は（ａ）の変形例を示す同要部断面図
【図７】第三の実施形態を示し、（ａ）はラチス材の並列方向への要部断面図、（ｂ）はラチス材の長手方向への要部断面図
【図８】第四の実施形態を示し、（ａ）はラチス材の並列方向への要部断面図、（ｂ）はその変形例を示す要部断面図
【図９】（ａ）は基板の素材として鉄筋コンクリートを採用した例を示す要部断面図、（ｂ）は基板の素材として高強度繊維コンクリートを採用した例を示す要部断面図
【図１０】第五の実施形態を示す斜視図
【図１１】図１０の実施形態の変形例を示す斜視図
【図１２】図１０の実施形態のさらなる変形例を示す平面図
【図１３】（ａ）は図１０の実施形態における横筋の配設方法を示す説明図、（ｂ）は（ａ）の変形例、（ｃ）は連結筋の配設方法を示す説明図
【図１４】（ａ）（ｂ）はそれぞれ横筋の配設方法の変形例を示す説明図
【図１５】（ａ）〜（ｃ）はそれぞれ横筋の配設方法を示す説明図
【図１６】（ａ）は図１３（ｂ）における横筋の斜視図、（ｂ）は図１４（ｂ）における横筋の斜視図、（ｃ）は横筋の作成方法を示す説明図
【図１７】コンクリート打設用型枠を用いた床版の施工状況を示す模式図
【図１８】従来例の要部断面図
【発明を実施するための形態】
【００２７】
この発明の実施形態を図面に基づいて説明する。この実施形態は、建築物の床版２０（以下、コンクリート部材２０（図１７参照）と称する。）を構築するために、基板１上に、長手状に伸びるラチス材Ｌと呼ばれるトラス形状の部材を備えた補強筋２を、複数列平行に固定したコンクリート打設用型枠１０を用いたものである。
【００２８】
コンクリート打設用型枠１０は、工場生産されたものを現場に搬入し、施工箇所において、既に構築された梁Ｂの間を掛け渡すように、複数枚並列して配置される。その後、その基板１上に補強筋２を覆うコンクリートＣを打設することにより、基板１と一体のコンクリート部材２０を形成している。
【００２９】
この実施形態では、基板１の素材として鋼板を用い、基板１の端部に係合部１ｂ，１ｃを設けている。並列方向に対向する基板１の端縁同士は、この係合部１ｂ，１ｃをカシメることで一体化される。
【００３０】
ラチス材Ｌは、図１に示すように、基板１方向へ凸状を成す、及び、その反対方向へ凸状を成す板厚方向への屈曲部２ａを、その補強筋２の伸びる方向（長手方向）に沿って交互に多数備えている。その屈曲部２ａにより、ラチス材Ｌは、下弦材としての基板１と、上弦材としての上端筋４の縦上端筋４ｂとの間を、ジグザグに縫うように配設された梁状の補強筋２の一部を構成している。
【００３１】
補強筋２には、図２（ａ）に示すように、その長手方向に沿って、基板１寄りの部分に下端筋３が、基板１から遠い側の部分に上端筋４が配設され、互いに溶接固定される。上端筋４は、補強筋２の頂部付近に配置される。
【００３２】
上端筋４は、長手方向に配設される縦上端筋４ｂと、その縦上端筋４ｂと交差するように補強筋２の並列する方向（並列方向）に配設される横上端筋４ａとを備える。このうち、縦上端筋４ｂが、ラチス材Ｌの頂部の屈曲部２ａ内側に配置されて、前述のラチス材Ｌの上弦材、すなわち、主筋として機能するものである。
【００３３】
また、下端筋３は、長手方向に配設される縦筋３ｂと、その縦筋３ｂに溶接固定され、並列方向に配設される横筋３ａとを備える。下端筋３の横筋３ａは、配力筋として機能するように、隣り合うラチス材Ｌ、Ｌ間に掛け渡すように配置される。
【００３４】
コンクリート打設用型枠１０を工場で組立てる際には、図４に示すように、縦筋３ｂと横筋３ａとからなる格子状の下端筋３を、基板１上に載置する。このとき、基板１の上面と、下端筋３との間に所定の隙間を設定しておく。格子状の下端筋３を基板１上に配置した後、補強筋２の下端を、図４に矢印で示すように、下端筋３の軸と軸の間の空間に差し入れ、その下端を基板１上に載置する。差し入れた補強筋２の下端は基板１に溶接固定とし、また、その補強筋２に下端筋３を溶接固定とする。
このように、格子状の下端筋３を、補強筋２よりも先に基板１に固定することで、下端筋３の基板１上への固定が容易になる。
【００３５】
以下、コンクリート打設用型枠１０を用いたコンクリート部材２０の構築方向を説明すると、コンクリート打設用型枠１０を、図１７に示すように、梁Ｂ間に掛け渡すように、補強筋２の並列方向に沿って複数枚並列して配置する。このとき、図２（ａ）に示すように、両コンクリート打設用型枠１０，１０の下端筋３，３の横筋３ａ，３ａの先端同士は、補強筋２の並列方向に対して向かい合っている状態である。
【００３６】
その後、並列するコンクリート打設用型枠１０の向かい合う端縁１０ａ，１０ａに沿って、その全長に亘って、下端筋３，３同士を結ぶ連結筋５を配置する。
【００３７】
連結筋５は、互いに交差する状態で固定された横連結筋５ａと縦連結筋５ｂとを備える。この実施形態では、連結筋５の横連結筋５ａと下端筋３の横筋３ａ、連結筋５の縦連結筋５ｂと下端筋３の縦筋３ｂとを、それぞれ互いに平行としている。
ただし、横連結筋５ａと縦連結筋５ｂとは互いに交差して配設されていればよく、例えば、網状の部材や、前記縦横方向に対する斜め方向への軸部材からなる格子状の部材、あるいは、同方向への軸部材からなる梯子状の部材等を採用することも可能である。
【００３８】
なお、この実施形態では、上端筋４の横上端筋４ａは、この連結筋５を配設した後、補強筋２に固定された縦上端筋４ｂ上に載置するだけとしているが、これを、縦上端筋４ｂに対して溶接や番線等で固定してもよい。
【００３９】
また、連結筋５は、例えば、図２（ｂ）に示すように、横連結筋５ａの軸方向両端を折り曲げることにより、係合部を形成した構成としてもよい。両端の係合部は、根元部が屈曲してその先端が同じ向きに突出しており、この係合部を下端筋３に係止することで、連結筋５を安定して配置することができる。
【００４０】
つぎに、基板１上に、補強筋２、下端筋３、上端筋４及び連結筋５を覆うコンクリートＣ（図１８参照。コンクリートＣは、図１、図２等には図示せず）を、所定厚さで打設する。そして、コンクリートＣが硬化することにより、基板１と一体のコンクリート部材２０が形成される。
【００４１】
このとき、隣り合うコンクリート打設用型枠１０，１０の下端筋３の横筋３ａ，３ａ同士は向かい合っており、ここに、下端筋３とは別部材として用意した連結筋５を配置することで、打設したコンクリートＣが硬化すれば、下端筋３，３同士が連結された状態で、応力に対抗できるようになる。
また、連結筋５は、横連結筋５ａと縦連結筋５ｂとを備えた格子状の部材であるので、向かい合う下端筋３同士を面的に強固に連結することができる。連結筋５の範囲（基板１に対する平面視における格子の範囲）と、両下端筋３，３の範囲（同左）とを、前記長手方向、並列方向のそれぞれに対して一定の幅で面的に重複させることができるからである。
【００４２】
なお、連結筋５の横連結筋５ａと縦連結筋５ｂの本数は、それぞれ自由に設定できる。例えば、縦連結筋５ｂを下端筋３の縦筋３ｂに平行とする場合、縦連結筋５ｂは少なくとも１本あればよく、望ましくは、２本又は３本以上の複数本としてよい。また、この実施形態では、横連結筋５ａを下端筋３の横筋３ａに平行とし、横連結筋５ａを下端筋３の横筋３ａと同数として、向かい合う下端筋３，３の横筋３ａ，３ａ間に掛け渡すように接触させている。
【００４３】
また、この実施形態では、連結筋５を、コンクリート打設用型枠１０，１０の向かい合う端縁１０ａ，１０ａに沿って帯状に長い格子部材とし、これを、一対のコンクリート打設用型枠１０の向かい合う端縁１０ａ，１０ａの全長に亘って１つの部材で構成しているが、これを、その端縁１０ａ，１０ａに沿って、２つ又は３つ以上の複数の部材に分割して構成してもよい。
【００４４】
また、図２に示すように、連結筋５は、下端筋３に対して、基板１と反対側に載置されている。そして、連結筋５の縦連結筋５ｂは、横連結筋５ａの基板１側に固定されている。さらに、下端筋３の縦筋３ｂは、横筋３ａに対して、基板１の反対側に固定されている。そして、下端筋３の横筋３ａと連結筋５の横連結筋５ａとの間において、長手方向に伸びる下端筋３の縦筋３ｂが連結筋５の横筋５ａに当接し、長手方向に伸びる連結筋５の縦筋５ｂが下端筋３の横筋３ａに当接する。
このため、コンクリートＣの打設、硬化後において、その下端筋３と連結筋５、及びコンクリートＣとの一体性が向上する効果が期待できる。
【００４５】
また、縦筋３ｂが、隣り合う縦連結筋５ｂ、５ｂに挟まれた空間に、縦連結筋５ｂが、隣り合う縦筋３ｂ，３ｂに挟まれた空間入り込み、すなわち、互いに他の空間に入り込んで噛み合っているので、さらに高い一体性が期待できる。このとき、縦筋３ｂと縦連結筋５ｂとを、互いに長手方向に線接触させて噛み合わせてもよい。
【００４６】
なお、この実施形態では、連結筋５は、下端筋３上に載置するだけとし、溶接、結束材等による固定は行っていない。この状態においても、前述のように、打設したコンクリートＣが硬化すれば、下端筋３，３同士が連結された状態で、応力に対抗できるようになる。
ただし、溶接や番線等の結束材によって、連結筋５と下端筋３とを何カ所かで互いに固定することも可能である。
【００４７】
この発明の第二の実施形態を、図５及び図６（ａ）に示す。この実施形態は、基板１及びその基板１上の配筋構造が前述の実施形態とは異なる構成において、この発明を適用したものである。
【００４８】
基板１の上面に、ラチス材Ｌの並列方向へ伸びる掛渡材（吊り材）Ｔが溶接固定されて、補強筋２の一部を構成している。掛渡材Ｔは、基板１方向へ凸状を成す、及び、その反対方向へ凸状を成す板厚方向への屈曲部を、前記並列方向に沿って交互に多数備えている。また、掛渡材Ｔは、前記長手方向に沿って複数列並列して配置されている。その掛渡材Ｔに、上端筋４の横上端筋４ａ（連結筋５の後に施工するため、本図では図示せず）及び縦上端筋４ｂが配置されている。
【００４９】
ラチス材Ｌは、下端筋３の縦筋３ｂと、上弦材としての上端筋４の縦上端筋４ｂとの間をジグザグに縫うように配設され、梁状の補強筋２の一部を構成している。なお、いずれの実施形態においても、補強筋２として、前記長手方向に伸びる梯子状の部材を採用することもできる。下端筋３及び連結筋５の構成は前述の実施形態と同様であるので、説明を省略する。
【００５０】
また、図６（ｂ）は、その第二の実施形態の変形例であり、補強筋２を構成するラチス材Ｌが、基板１に設けられた凸部１ａに係合した状態に固定されている。連結筋５の構成は、同じく前述の実施形態と同様である。
【００５１】
この発明の第三、第四の実施形態を、それぞれ、図７、図８に示す。この実施形態は、いずれも、基板１の素材として高強度繊維コンクリートを採用したものである。高強度繊維コンクリート製からなる基板１の端部に、カギ状の係合部１ｄ，１ｅが設けられており、並列方向に対向する基板１の端縁同士は、この係合部１ｄ，１ｅが噛み合うことで一体化される。基板１上に設けられる配筋の基本構成や連結筋５の構成は、同じく前述の実施形態と同様であるので、説明を省略する。
【００５２】
基板１の素材として高強度繊維コンクリートを採用することで、軽量且つ高強度な性能を発揮することもできる。ここで、繊維材としては、鋼繊維（スチールファイバー）を採用しているが、その他にも、例えば、ガラス繊維、炭素繊維、有機系繊維等の各種繊維を採用することができる。基板１の素材がコンクリートであるから、そのコンクリートに補強筋２の下部を埋め込んで硬化させることで、容易にその一体化が可能である。また、鋼板に対して溶接固定する場合等と比較して、ラチス材Ｌのトラスを所定の向きに自立させ易い。
【００５３】
また、高強度繊維コンクリートを採用すれば、基板1を構成するコンクリート内への鉄筋の配筋を省略することも可能であり、基板１の薄型化に寄与し得る。
例えば、図９（ａ）は、基板１のコンクリート内に鉄筋を配置した場合を示している。図９（ｂ）は、高強度繊維コンクリートの採用により、鉄筋の配置を省略したものである。図９（ａ）の基板１の厚さｔ１と比較して、図９（ｂ）の基板１の厚さｔ２は相対的に薄くなっているが、このような薄い基板１であっても、鉄筋コンクリートを採用した場合と同じ強度又はそれ以上の強度を確保できる。
【００５４】
このように、高強度繊維コンクリートであれば、他のコンクリート素材を採用した場合と比較して、基板１の厚さを薄くすることができ、且つ、まだ固まらないコンクリートＣの重量を受けるのに充分な強度を確保できる。さらに、基板１に鋼板を用いると、例えば、マンション等においては階下のフロアに天井材を設ける必要があるが、基板１がコンクリート製であれば、そのような天井材の設置を省略することもできる。
【００５５】
この発明の第五の実施形態を、図１０〜図１６に示す。この実施形態は、基板１上に下端筋３を配筋する手法を、さらに容易にしようとするものである。
【００５６】
この実施形態のコンクリート打設用型枠１０では、下端筋３の横筋３ａを工場生産時に配置してもよいし、これを現場で配置してもよい。下端筋３以外の他の基本構成は、前述の各実施形態と同様とし得る。
【００５７】
図１０に示すように、基板１上に補強筋２を配置した後、その補強筋２の基板１寄りの部分に、下端筋３を挿入する。下端筋３は、並列方向に伸びる１本の横筋３ａとその横筋３ａに固定され、補強筋２の長手方向に伸びる比較的短い縦筋３ｂとを備える。
【００５８】
前述のように、補強筋２は多数の屈曲部２ａを有し、複雑な形状となっている。このため、補強筋２を基板１に固定した後、下端筋３を配設するのは困難である。しかし、下端筋３として、１本の横筋３ａとその横筋３ａに固定された縦筋３ｂとを備えたものを採用したことにより、補強筋２を避けるように下端筋３を並列方向へ挿入しやすい。このため、下端筋３の現場施工も可能である。
【００５９】
なお、図１０では、下端筋３として、1本の横筋３ａに対してそれに交差する短い縦筋３ｂを溶接する構成とし、それを補強筋２を構成する部材で囲まれた空間に、それぞれ１本ずつ挿入するようにしている。これを、例えば、図１１に示すように、複数本の横筋３ａを並列させ、その並列する横筋３ａに対して交差する縦筋３ｂを、溶接等により各横筋３ａに固定してもよい。
【００６０】
図１５（ａ）〜（ｃ）に、下端筋３を挿入する際のようすを例示する。図１５（ａ）（ｂ）に示すように、補強筋２を構成する部材で囲まれた空間（開口部）に、それぞれ横筋３ａが１本ずつ挿入されるようにしてもよいし、空間の大きさ（開口部の大きさ）に余裕があるならば、図１５（ｃ）に示すように、一つの空間（開口部）に二本の横筋３ａを挿入してもよい。挿入された下端筋３は、いずれも補強筋２の基板１寄りの部分に載置される。
【００６１】
また、横筋３ａに対する縦筋の固定位置、本数については、自由に設定でき、例えば、図１０や図１１に示すように、縦筋３ｂを、横筋３ａの軸方向いずれかの側の端部にのみ設けた構成としてもよいし、図１２に示すように、縦筋３ｂを、横筋３ａの軸方向両端部、及び、軸方向中程に設けた構成としてもよい。
【００６２】
縦筋３ｂを、横筋３ａの軸方向いずれかの側の端部にのみ設けた構成とする場合（図１０や図１１の場合）、その横筋３ａを、例えば、図１３（ａ）に示すように、コンクリート打設用型枠１０の両側から挿入することで対応できる。
すなわち、図１３（ａ）に示すように、下端筋３は、軸方向一端（図中右側）にのみ縦筋３ｂが固定された横筋３ａを、縦筋３ｂの無い軸方向他端から補強筋２の基板１寄りの部分に挿入する（図中の矢印ａ参照）。また、その同じ箇所に重複して、あるいは、隣接する別の箇所に、軸方向他端（図中左側）にのみ縦筋３ｂが固定された横筋３ａを、縦筋３ｂの無い軸方向一端から補強筋２の基板１寄りの部分に挿入する（図中の矢印ｂ参照）。
【００６３】
この構成では、横筋３ａの両端のうち、縦筋３ｂが固定されていない側を型枠内に挿入するので、その挿入の際に、縦筋３ｂが補強筋２に当たる事態を回避することができる。  
【００６４】
また、その挿入に支障がないならば、下端筋３として、図１３（ｂ）に示すように、横筋３ａに対して、軸方向に沿って多数の縦筋３ｂを固定した構成としてもよい。この下端筋３を、軸方向いずれかの側から補強筋２の間に挿入する（図中の矢印ｃ参照）。
【００６５】
なお、その後の連結筋５の配置、上端筋４の配置は、前述の各実施形態と同様、図１３（ｃ）に示すように行われる。
【００６６】
また、図１４（ａ）に示すように、下端筋３は、軸方向一端（図中右側）にのみ縦筋３ｂが固定された横筋３ａを、縦筋３ｂの無い軸方向他端から補強筋２の基板１寄りの部分に挿入し（図中の矢印ｄ参照）、その後、図１４（ｂ）に示すように、軸方向他端（図中左側）に縦筋３ｂを溶接等により固定してもよい。
【００６７】
なお、図１６（ａ）は、横筋３ａに対して、その軸方向に沿って等間隔に縦筋３ｂを固定した下端筋３の例である。図１６（ｂ）は、横軸３ａの両端部にのみ縦筋３ｂを固定した下端筋３の例である。下端筋３を図１６（ａ）に示す構成とする場合、例えば、図１６（ｃ）に示すように、格子状に接合された軸部材の一部を、符号３ｃで示すラインで切断することにより、１本の横筋３ａとその横筋３ａに固定された一定間隔毎の縦筋３ｂとからなる部材を形成することができる。
【００６８】
なお、これらの実施形態においても、その後、下端筋３，３間に掛け渡すように配設される連結筋５の構成、上端筋４の構成、及び、基板１上にコンクリートＣを打設することにより、基板１と一体のコンクリート部材２０を形成する点については、前述の実施形態と同様であるので、説明を省略する。
【符号の説明】
【００６９】
１  基板
２  補強筋
２ａ  屈曲部
３  下端筋
３ａ  横筋（配力筋）
３ｂ  縦筋
４  上端筋
４ａ  横上端筋（配力筋）
４ｂ  縦上端筋（主筋）
５  連結筋
５ａ  横連結筋
５ｂ  縦連結筋
１０  コンクリート打設用型枠
１０ａ  端縁
２０  コンクリート部材
Ｂ  梁
Ｃ  コンクリート
Ｌ  ラチス材
【図１】
2014091994.tif 000003
【図２】
2014091994.tif 000004
【図３】
2014091994.tif 000005
【図４】
2014091994.tif 000006
【図５】
2014091994.tif 000007
【図６】
2014091994.tif 000008
【図７】
2014091994.tif 000009
【図８】
2014091994.tif 000010
【図９】
2014091994.tif 000011
【図１０】
2014091994.tif 000012
【図１１】
2014091994.tif 000013
【図１２】
2014091994.tif 000014
【図１３】
2014091994.tif 000015
【図１４】
2014091994.tif 000016
【図１５】
2014091994.tif 000017
【図１６】
2014091994.tif 000018
【図１７】
2014091994.tif 000019
【図１８】
2014091994.tif 000020